(57)【要約】【課題】快適さ及び塗布の正確さを向上させる化粧品のアプリケータを提供する。【解決手段】本発明は、化粧品を塗布する器具（１）であって、物質（Ｐ）の入った受け器（２）と、受け器内に受け入れられ又は受け器に固定されるのに適したアプリケータ（３）とを有し、アプリケータは、最初の使用前には、アプリケータを皮膚に固定するのに適した接着面を備え、アプリケータに外接する、軸線Ｘを中心とした円（Ｃ）の直径は、軸線Ｘに平行に測定したアプリケータの最大厚さ（ｅｍａｘ）よりも大きいことを特徴とする器具を提供する。【選択図】　　　図１
2004033766.tif 000002
【特許請求の範囲】
【請求項１】
化粧品を塗布する器具（１）において、物質（Ｐ）の入った受け器（２）と、受け器内に受け入れられ又は受け器に固定されるのに適したアプリケータ（３）とを有し、前記アプリケータは、最初の使用前には、アプリケータを皮膚に固定するのに適した接着面を備え、アプリケータに外接する、軸線Ｘを中心とした円（Ｃ）の直径は、軸線Ｘに平行に測定したアプリケータの最大厚さ（ｅｍａｘ）よりも大きいことを特徴とする器具。
【請求項２】
軸線Ｘの円は、最大厚さ（ｅｍａｘ）の２／３以上の半径を備えていることを特徴とする請求項１記載の器具。
【請求項３】
アプリケータの最大厚さ（ｅｍａｘ）は、外接円（Ｃ）の半径の半分以下であることを特徴とする請求項１又は２記載の器具。
【請求項４】
アプリケータは、アプリケータが指の先に固定されたとき、手の平まで延びないほど小さな寸法のものであることを特徴とする請求項１〜３のうちいずれか一に記載の器具。
【請求項５】
アプリケータは、その接着面が、人差し指の第１指節骨の指腹まで完全には接着することができないような仕方で構成されていることを特徴とする請求項１〜４のうちいずれか一に記載の器具。
【請求項６】
アプリケータは、最初の使用以前においては、塗布されるべき物質では含浸されていないことを特徴とする請求項１〜５のうちいずれか一に記載の器具。
【請求項７】
物質は、練り歯磨きではないことを特徴とする請求項１〜６のうちいずれか一に記載の器具。
【請求項８】
アプリケータは、フロック加工部、織布又は不織布、特に、複数の突出フック（１７）又はループを支持した織布から成る塗布面（８）を有していることを特徴とする請求項１〜７のうちいずれか一に記載の器具。
【請求項９】
アプリケータは、発泡材から成ることを特徴とする請求項１〜８のうちいずれか一に記載の器具。
【請求項１０】
発泡材は、その上に綿毛状表面を形成するように研摩処理が施されていることを特徴とする請求項９記載の器具。
【請求項１１】
アプリケータは、エラストマーから成ることを特徴とする請求項１〜１０のうちいずれか一に記載の器具。
【請求項１２】
アプリケータは、皮膚に固定される接着剤の層（９）と、塗布面を構成する層（２８；３０）と、少なくとも１つの中間層（２９；３１）とを有する多層構造のものであることを特徴とする請求項１〜１１のうちいずれか一に記載の器具。
【請求項１３】
アプリケータは、少なくとも１つの殺菌性配合物で含浸処理された多孔質材料から成ることを特徴とする請求項１〜１２のうちいずれか一に記載の器具。
【請求項１４】
アプリケータは、磁性粒子、特に、発泡材中に分散した磁性粒子を有していることを特徴とする請求項１〜１３のうちいずれか一に記載の器具。
【請求項１５】
アプリケータは、互いに異なる表面状態の少なくとも２つの領域（８ａ，８ｂ）を有する塗布面を備えていることを特徴とする請求項１〜１４のうちいずれか一に記載の器具。
【請求項１６】
接着剤は、低アレルギー誘発性であることを特徴とする請求項１〜１５のうちいずれか一に記載の器具。
【請求項１７】
接着剤層（９）は、物質を塗布するために用いられるその表面から見て反対側のアプリケータの面全体を覆って延びていることを特徴とする請求項１〜１６のうちいずれか一に記載の器具。
【請求項１８】
接着剤層は、物質を塗布するために用いられるその表面から見て反対側のアプリケータの面の一部を覆っていることを特徴とする請求項１〜１６のうちいずれか一に記載の器具。
【請求項１９】
接着面は、接着剤のストリップ（２５）又はスポット（２４）を有していることを特徴とする請求項１８記載の器具。
【請求項２０】
接着剤層（９）は、物質を塗布するために用いられるその面から見て反対側のアプリケータの面の中央領域（２６）上にのみ延びていることを特徴とする請求項１８又は１９記載の器具。
【請求項２１】
アプリケータは、接着面を覆う網（２７）を有していることを特徴とする請求項１〜２０のうちいずれか一に記載の器具。
【請求項２２】
アプリケータは、厚さ方向の断面が、塗布目的に用いられる面に実質的に平行な接着面を備えた平らな形状を有していることを特徴とする請求項１〜２１のうちいずれか一に記載の器具。
【請求項２３】
アプリケータは、厚さ方向の断面が、接着目的のために用いられる面の少なくとも一方の側が凸状になっていることを特徴とする請求項１〜２１のうちいずれか一に記載の器具。
【請求項２４】
アプリケータは、その周囲がヒートシールされていること特徴とする請求項１〜２３のうちいずれか一に記載の器具。
【請求項２５】
アプリケータは、正面図で見て、円形ではない形状になっていることを特徴とする請求項１〜２４のうちいずれか一に記載の器具。
【請求項２６】
アプリケータは、正面図で見て、全体として、三角形、西洋梨形、レンズ形、水滴形、アーモンド形、心臓形又は中空リング形をしていることを特徴とする請求項２５記載の器具。
【請求項２７】
アプリケータは、正面図で見て、凹部（２３）、特に、アプリケータの中央領域に位置した凹部を有していることを特徴とする請求項１〜２６のうちいずれか一に記載の器具。
【請求項２８】
アプリケータは、洗浄可能、特に、水洗可能な材料で作られていることを特徴とする請求項１〜２７のうちいずれか一に記載の器具。
【請求項２９】
接着面は、最初の使用に先立って、取り外し可能な保護フィルム（１２）で覆われていることを特徴とする請求項１〜２８のうちいずれか一に記載の器具。
【請求項３０】
受け器は、使用されていない間、少なくとも１つのアプリケータを受け入れる少なくとも１つのハウジング（４３；４５；４６；４８）を有していることを特徴とする請求項１〜２９のうちいずれか一に記載の器具。
【請求項３１】
受け器は、底部（４）及び底部に対して動くことができる蓋（５）を有するケースの形態をしていることを特徴とする請求項１〜３０のうちいずれか一に記載の器具。
【請求項３２】
底部は、物質（Ｐ）を収容した少なくとも１つのハウジングを有していることを特徴とする請求項３１記載の器具。
【請求項３３】
蓋（５）は、鏡（６）を備えていることを特徴とする請求項３０記載の器具。
【請求項３４】
受け器は、物質を少なくとも１つの出口オリフィスを通って押し出すことができるピストン（６０）を有していることを特徴とする請求項１〜２９のうちいずれか一に記載の器具。
【請求項３５】
受け器は、変形可能な壁（５０）を有していることを特徴とする請求項１〜３４のうちいずれか一に記載の器具。
【請求項３６】
受け器は、使用されていない間、アプリケータ（３）を保護する保護キャップ（５４）を有していることを特徴とする請求項１〜３５のうちいずれか一に記載の器具。
【請求項３７】
アプリケータは、使用に先立って、複数のアプリケータの支持体として働くストリップ（６６）上に位置していることを特徴とする請求項１〜３６のうちいずれか一に記載の器具。
【請求項３８】
使用されていない間、アプリケータを受け取る受け器の表面は、アプリケータの付着力を減少させる起伏部（３４）、例えば、アレイ上に配置されたストライプ又は突起を備え、又は、付着防止材料で被覆され、又は、付着防止処理が施されていることを特徴とする請求項１〜３７のうちいずれか一に記載の器具。
【請求項３９】
物質、特に、化粧品を、皮膚、髪の毛、唇又は爪、特に、顔面の皮膚に塗布する方法であって、接着剤（９）の付いたアプリケータ（３）を少なくとも１つの指の先に固定する段階を有し、アプリケータは、物質を塗布する部分（７）を有し、前記部分は、少なくとも一部が指の第１指節骨の指腹上に延び、前記アプリケータは、手の平までは延びておらず、前記方法は、塗布部分を関連の領域に接触させることにより物質を、皮膚、髪の毛、唇又は爪に塗布する段階を更に有していることを特徴とする方法。
【請求項４０】
アプリケータは、頬骨、瞼又は唇をメーキャップするのに用いられることを特徴とする請求項３９記載の方法。
【請求項４１】
アプリケータは、種々の軸線回りに第１指節骨の指腹に対して動くことができる状態で第１指節骨の指腹上に配置されていることを特徴とする請求項３９又は４０記載の方法。
【請求項４２】
アプリケータ（９）の接着面は、取り外し可能な保護フィルム（１２）で覆われており、ユーザは、接着面を指に接触させる前に、前記保護フィルムを取り外すことを特徴とする請求項３９〜４１のうちいずれか一に記載の方法。
【請求項４３】
アプリケータは、使用後、受け器のアプリケータ受取り表面、特に、鏡（６）、蓋（５）又はアプリケータを受け取るために設けられたハウジング（４３；４５，４６）の底部に付着されることを特徴とする請求項３９〜４２のうちいずれか一に記載の方法。
【請求項４４】
アプリケータは、複数回の機会で用いられ、接着剤は、その接着性を機会ごとに維持するような仕方で選択されていることを特徴とする請求項３９〜４３のうちいずれか一に記載の方法。
【請求項４５】
化粧品を塗布する器具において、化粧品を収容した受け器と、多層構造から成るアプリケータとを有し、アプリケータは、受け器内に受け入れられ又は受け器に固定されるよう構成され、前記アプリケータは、最初の使用に先立って、接着面を備えていることを特徴とする器具。
【発明の詳細な説明】
【０００１】
【発明の属する技術分野】
本発明は、物質、特に、化粧品を塗布する器具に関する。
【０００２】
【従来の技術及び発明が解決しようとする課題】
例えば硬質プラスチック材料で作られた取っ手及び取っ手に着脱不能な形態で固定された可撓性塗布部分を有する多くのアプリケータが提案された。
また、フランス国特許出願公開第２，４３２，２８７号明細書は、指の先に付着するメーキャップ指サック又は「コット（ｃｏｔ　）」を開示している。指サックを含む医用アプリケータが、米国特許第５，０４５，０７３号明細書に記載されている。
【０００３】
米国特許第５，６３６，４０６号明細書は、ローションを身体に塗布するために手の内側表面に付着するアプリケータシートを開示している。
米国特許第２，７６３，８８５号明細書は、指に固定されるよう設計された練り歯磨きで含浸した研摩性発泡材を記載している。米国特許第５，７９４，７７４号明細書、同第５，９１１，３１９号明細書及び同第５，６７８，２７３号明細書は、これと同様なアプリケータを記載している。
快適さ及び塗布の正確さを向上させることができる新規なアプリケータが要望されている。
【０００４】
【課題を解決するための手段】
本発明は、その特徴のうちの１つとして、化粧品を塗布する器具において、物質の入った受け器と、受け器内に受け入れられ又は受け器に固定されるのに適したアプリケータとを有し、上記アプリケータは、最初の使用前には、アプリケータを皮膚に固定するのに適した接着面を備え、アプリケータに外接する、軸線Ｘを中心とした円の直径は、軸線Ｘに平行に測定したアプリケータの最大厚さよりも大きいことを特徴とする器具を提供する。
接着表面は、アプリケータを皮膚に固定するのに適したものであるのがよい。
【０００５】
かかるアプリケータは塗布中ユーザに従来型アプリケータでは得ることができない感触を与えることができる。というのは、アプリケータを、神経終末部が非常に多い指の指腹に当てて配置できるからである。
本発明により、物質をなにも付けていないむき出しの指で皮膚に塗布した場合に見られる正確さに近い塗布上の正確さを得ることができる。これとは対照的に、アプリケータは、むき出し状態の指よりも多くの物質を塗布することができ、塗布の快適さが向上する。
【０００６】
一例を挙げると、軸線Ｘを中心とした円の半径は、アプリケータの最大厚さの２／３以上、或いは、この最大厚さ以上であるのがよい。
一例を挙げると、アプリケータの最大厚さは、外接円の半径の半分以下、或いは上記半径の１／４以下であるのがよい。厚さを小さくすると、アプリケータが使用されている間、手応えの伝達具合が向上する。
本発明の特徴では、アプリケータは、アプリケータが指の先に固定されたとき、手の平まで延びないほど小さな寸法のものである。
アプリケータは、その接着面が、人差し指の第１指節骨の指腹まで完全には接着することができないような仕方で構成されているものであるのがよく、かくして、使用中におけるアプリケータと第１指節骨の指節髄との間の相対運動が可能になって物質を塗布することができる。アプリケータの剛性は、接着面全体が指の指腹にくっつかないように選択されるのがよい。
【０００７】
指の先端のところでのアプリケータの相対運動におけるかかる自由度により、例えば、アプリケータは、物質が塗布されている表面と接触した状態で動いているときにかかる表面の形状に一致することができる。
アプリケータの圧縮性は、例えば比較的重要な場合がある。アプリケータの平均厚さは、例えば１０キログラム（ｋｇ）の重さをアプリケータ全体に加える場合、半分であるのがよい。
本発明によれば、最初の使用以前においては、アプリケータに物質を含浸していない。
【０００８】
本発明の別の特徴では、物質は、練り歯磨き以外の物質である。
アプリケータは、フロック加工部、織布又は不織布を有する塗布表面を有するのがよい。
アプリケータは、被膜を有するのがよく、この被膜は、その表面から突き出た複数のフック又はループを備えた織布の形態をしているのがよい。
フックは、任意形式のものであってよく、特に、フックは、ループと協働するのに適したものであるのがよく、フックは、例えば、釣り針、マッシュルーム又は開放ループの形態をしたものであるのがよい。
【０００９】
被膜は、特に、ベルクロ（Ｖｅｌｃｒｏ；登録商標）タイプのファスナで互いに接合される要素のうち一方又は他方によって構成されるものであるのがよい。
アプリケータは、発泡材、特に、連続気泡、半連続気泡又は独立気泡を備えた発泡材から成るのがよい。特に、発泡材は、その上に綿毛状表面を形成するように研摩処理が施されているものであるのがよい。
本発明は、エラストマー、特に、エラストマーフォーム（発泡材）から成るのがよい。
【００１０】
アプリケータは、例えば、例えば、アプリケータに多少の剛性又は可撓性を与えると共に（或いは）物質を吸収するアプリケータの能力を向上させるために皮膚に固定される接着剤の層と、塗布面を構成する層と、必要に応じて１又は２以上の中間層とを有する多層構造のものであるのがよい。アプリケータの剛性は、接着面全体が、指の指腹にくっつくのを阻止するようなものであるのがよく、それにより、アプリケータは上述したように指の先でその向きを変えることができる。
アプリケータは、少なくとも１つの殺菌性配合物、例えば、抗真菌薬剤、抗菌剤又はイオン元素で含浸処理された多孔質材料から成るのがよい。一例を挙げると、アプリケータは、少なくとも１つの水吸収剤を含むのがよい。
【００１１】
アプリケータは、磁性粒子、例えば、発泡材中に分散した磁性粒子を有するのがよい。かくして、アプリケータは、塗布中、磁界をかけることができ、それにより、血液の微小循環を促進する。
アプリケータは、広い面積のシートとして平らに製造されたものであるのがよく、アプリケータは、かかるシートから切り抜きされる。
アプリケータは、少なくとも２つの互いに異なる表面状態、例えば、互いに異なる材料を用いた場合と関連し、又はアプリケータが互いに異なる表面処理を受けたことに起因した表面状態を備える塗布面を有するのがよい。
【００１２】
アプリケータは、低アレルギー誘発性接着剤を有するのがよい。
アプリケータは、接着力が温度と共に増大する接着剤を有するのがよい。例えば、２０℃以下では接着性が弱く、３０℃では接着性がより強い接着剤を用いることが可能である。
かくして、アプリケータは、受け器の受取り表面から容易に分離でき、それにもかかわらず、指に十分くっつき、それにより、アプリケータを良好な条件下において用いることができる。
【００１３】
接着剤は、物質を塗布するのに用いられるその面から見て反対側のアプリケータの面を完全に覆うのがよい。変形例として、接着剤は、この面を例えば一部のみ覆ってもよく、接着剤は、ストリップ又はスポットの形態で設けられる。接着剤は、物質を塗布するのに用いられるその面から見て反対側のアプリケータの面の中央領域だけを占めてもよい。アプリケータは、その接着力を減少させる網によって覆われた接着面を有してもよい。
【００１４】
厚さ方向における断面では、アプリケータは、平らな形状をしているのがよく、その塗布面及び接着面は、実質的に互いに平行である。
厚さ方向における断面において、アプリケータは、一方の側部又は２つの互いに反対側の側部が膨らんだ形状のものであってもよい。
塗布目的に用いられる面は、形状が外方に凸であるのがよい。同じことが、指に固定されるのに用いられる面についても当てはまる。凸形状は、アプリケータを例えばその周囲にぐるりとヒートシールしたことによって得られる。
【００１５】
正面図で見て、アプリケータは、形状が円形であるのがよいが、このようにするかどうかは任意である。アプリケータは、任意的に軸対称をもたらす形状を有するのがよい。一例を挙げると、アプリケータは、全体として、三角形、西洋梨形、レンズ形、水滴形、アーモンド形、心臓形又は中空リング形をしているのがよい。アプリケータは、正面図で見て、凹部、特に、アプリケータの中央領域に位置した凹部を有するのがよい。
【００１６】
アプリケータを洗浄可能、特に、水洗可能な材料で作るのがよく、接着剤は、水に耐えることができるものである。
アプリケータは、種々の色、特に、茶色ではない色の塗布面を有するのがよい。
アプリケータは、最初の使用に先立って、取り外し可能な保護フィルム、例えば、１枚のシリコーンペーパー又はポリエチレンのフィルムでその接着面が覆われたものであるのがよい。
受け器は、使用されていないとき、少なくとも１つのアプリケータを受け入れる少なくとも１つのハウジングを有するのがよい。
【００１７】
一例を挙げると、受け器は、底部及び例えばヒンジ止めにより底部に対して動くことができる蓋を有するケースの形態をしているのがよい。
底部は、物質、例えば、分散性の物質を収容する少なくとも１つのハウジング及び少なくとも１つのアプリケータを受け入れるのに適した少なくとも１つのハウジングを有するのがよい。
ケースは、鏡を備えるのがよい。
物質は、粉末、クリーム、ゲル又は液体であってよい。物質が粘稠である場合、物質は例えば、物質を少なくとも１つの出口オリフィスを通って押し出すことができるピストンを備えた受け器内に入れられるのがよく、出口オリフィスは、例えば、ハウジングの底部に設けられる。
【００１８】
受け器は、物質を収容する可変容積の空間を有するのがよく、かかる空間は、ユーザが握って絞ると、物質が少なくとも１つの出口オリフィスを通って出るようにするのに役立つ変形可能な壁により少なくとも一部が構成される。
受け器は、使用されていないときにアプリケータを保護するカバーを有するのがよい。
使用に先立って、アプリケータは、ストリップ上に位置するのがよい。かかるストリップは、比較的長く、使用に先立って複数のアプリケータを支持するのに役立つのがよく、かかるストリップは、例えば、ディスペンサ内に巻き取られている。
【００１９】
本発明は、別の特徴として、単独で又は上記との組合せとして、化粧品を塗布する器具において、化粧品を収容した受け器と、多層構造から成るアプリケータとを有し、アプリケータは、受け器内に受け入れられ又は受け器に固定されるよう構成され、上記アプリケータは、最初の使用に先立って、接着面を備えていることを特徴とする器具を提供する。
アプリケータに外接する（アプリケータを包囲する）軸線Ｘを中心とした円は、軸線Ｘに平行に測定したアプリケータの最大厚さよりも大きな直径を備えるのがよい。
多層構造は、硬度が互いに異なる少なくとも２つの層、例えば、塗布面に隣接して位置した可撓性の層及び接着面に隣接して位置した剛性の層を有するのがよい。
【００２０】
剛性の層は、例えば接着面全体が使用時に指にくっつかないようにするためにアプリケータの取り扱いを容易にすることができる。
多層構造は、例えば、少なくとも２つの発泡材の層、特に、硬度が互いに異なる２つの発泡材の層を有するのがよい。
本発明は又、別の特徴として、単独で又は上記との組合せとして、化粧品を塗布する器具において、物質を収容した受け器と、受け器に着脱自在に固定されたアプリケータとを有し、アプリケータが、受け器内に入っている物質と接触していないことを特徴とする器具を提供する。
このアプリケータは、物質のハウジングとは異なる受け器の部分、例えば、蓋又は物質を収容したハウジングの近くに固定できる接着面を有する。
【００２１】
アプリケータに外接する、軸線Ｘを中心とした円は、軸線Ｘに平行に測定したアプリケータの最大厚さよりも大きな直径を備えるのがよい。
好ましい実施形態では、接着面は、受け器から取り外された後ユーザの指にくっつくことができ、必要ならば、使用後、受け器に再びくっつくことができる。本発明は又、別の特徴として、単独で又は上記との組合せとして、少なくとも２種類の互いに異なる化粧品のうち少なくとも１つを塗布する器具において、少なくとも２種類の物質の入った受け器と、受け器内に受け入れられ又は受け器に固定されるのに適したアプリケータとを有し、アプリケータは、最初の使用前に接着面を備えていることを特徴とする器具を提供する。
【００２２】
アプリケータに外接する、軸線Ｘを中心とした円の直径は、軸線Ｘに平行に測定したアプリケータの最大厚さよりも大きいのがよい。
本発明は又、別の特徴として、単独で又は上記との組合せとして、化粧品を塗布する器具において、物質の入った受け器と、受け器内に受け入れられ又は受け器に固定されるのに適した少なくとも２つのアプリケータとを有し、アプリケータは、最初の使用前に接着面を備えていることを特徴とする器具を提供する。
アプリケータに外接する、軸線Ｘを中心とした円の直径は、軸線Ｘに平行に測定したアプリケータの最大厚さよりも大きいのがよい。
【００２３】
本発明は又、別の特徴として、単独で又は上記との組合せとして、化粧品を塗布する器具において、物質のケークの入った受け器と、受け器内に受け入れられ又は受け器に固定されるのに適したアプリケータとを有し、アプリケータは、最初の使用前に接着面を備えていることを特徴とする器具を提供する。
アプリケータに外接する、軸線Ｘを中心とした円の直径は、軸線Ｘに平行に測定したアプリケータの最大厚さよりも大きいのがよい。
本発明は又、別の特徴として、単独で又は上記との組合せとして、化粧品を塗布する器具において、物質の入った受け器と、受け器内に受け入れられ又は受け器に固定されるのに適したアプリケータとを有し、アプリケータは、円形ではない形状のものであり、アプリケータは、最初の使用前に接着面を備えていることを特徴とする器具を提供する。
【００２４】
アプリケータに外接する、軸線Ｘを中心とした円の直径は、軸線Ｘに平行に測定したアプリケータの最大厚さよりも大きいのがよい。
本発明は又、別の特徴として、単独で又は上記との組合せとして、最初の使用前においては練り歯磨きを含浸させていない少なくとも１つのアプリケータを小出しするディスペンサであって、アプリケータが、最初の使用前に接着面を備えていることを特徴とするディスペンサを提供する。
アプリケータに外接する、軸線Ｘを中心とした円の直径は、軸線Ｘに平行に測定したアプリケータの最大厚さよりも大きいのがよい。
【００２５】
本発明は又、物質、特に、化粧品を、皮膚、髪の毛、唇又は爪、特に、顔面の皮膚に塗布する方法であって、接着剤の付いたアプリケータを少なくとも１つの指の先に固定する段階を有し、アプリケータは、物質を塗布する部分を有し、上記部分は、少なくとも一部が指の第１指節骨の指腹上に延び、上記アプリケータは、手の平までは延びておらず、上記方法は、塗布部分を関連の領域に接触させることにより物質を、皮膚、髪の毛、唇又は爪に塗布する段階を更に有していることを特徴とする方法を提供する。
単一のアプリケータを、１つの指、特に、人差し指の先に固定するのがよい。
【００２６】
変形例として、２つのアプリケータを１つの指の先に固定してもよく、この２つのアプリケータは、例えば互いに異なる形状及び（又は）表面状態を備える。別の変形例では、単一のアプリケータを互いに並んで保持された２つの指、例えば、人差し指と中指の先に固定してもよい。
一例を挙げると、アプリケータは、頬骨、瞼又は唇をメーキャップするのに利用できる。
アプリケータは、指の凸面と接触した状態で「くるくる動かす」により種々の軸線回りに第１指節骨の指腹に対して動くことができる状態で第１指節骨の指腹上に配置されたものであるのがよい。
【００２７】
アプリケータは、最初の使用に先立ってアプリケータ上に設けられた接着剤により第１指節骨の指腹の後ろに固定することができる。アプリケータの接着面を、接着面を指に接触させる前に、ユーザが取り外す取り外し可能な保護フィルムによって覆うのがよい。
使用後、アプリケータを受け器の表面、例えば、鏡、蓋又はアプリケータを受け入れるのに設けられたハウジングの底部にくっつけることができる。一例を挙げると、ハウジングは、ケースの底部に位置するのがよい。
【００２８】
アプリケータは、１回使用のものであってもよく、或いは、アプリケータは、数回再使用できるものであってもよく、接着剤は、使用毎のその接着性を維持するように選択される。
使用されていないときにアプリケータを受け取る受け器の表面は、アプリケータの接着力を減少させる起伏部、例えば、アレイ状に配置されたストライプ又は突起を備えてもよく、或いは、かかる表面を付着防止剤で被覆してもよく、或いは、付着防止処理を施してもよい。これにより、例えばアプリケータを放すのが容易になる。
本発明の内容は、添付の図面を参照して非限定的な実施形態についての以下の詳細な説明を読むと一層よく理解できよう。
【００２９】
【発明の実施の形態】
図１は、ケースの形をした受け器に及び物質Ｐ、例えば、分散性の物質、例えば、ファンデーションメーキャップ又はアイシャドウを塗布するアプリケータ３を有する器具１を示している。
ケースは、底部４及び底部にヒンジ止めされていて、キャッチを備えた蓋５を有している。
底部４は、その中央領域に、物質Ｐを収容したハウジングを有している。
蓋５は、その内面に鏡６を備え、アプリケータ３をこの鏡６に付着させることができる。
【００３０】
図２を参照すると、アプリケータ３は、物質を塗布する際に用いられる部分７を有し、この部分７は、一方の側部に塗布面８を備え、その反対側の側部は接着剤の層９で被覆されている。接着剤は、作用が長持ちし、耐水性であり且つ低アレルギー誘発性のものであるのがよく、これは、皮膚又はアプリケータが使用されていないときに取り付けられる受け器の表面に対するよりも、塗布部分７の方がより強固に付着することができる。
接着剤９は、皮膚に付着することができ、アクリル樹脂系、ビニル樹脂系又はセルロース樹脂系の食品等級の接着剤であるのがよい。
接着剤９は、ホットメルトタイプのものであってよく、高温状態で被着し又は溶剤と混ぜ合わせて被着してもよく、次に、溶剤を加熱により除去する。
【００３１】
図示の例では、塗布面８は、フロック加工部１０を有している。
フロック加工部１０は例えば、サイズが例えば４デニール、長さが例えば１ｍｍのナイロン（Ｎｙｌｏｎ　：登録商標）製のブリッスルから成るのがよく、かかるフロック加工部１０を、例えば水性接着剤又はエポキシ樹脂接着剤で固定するのがよい。
図１では、アプリケータ３は、鏡６に固定された状態で示されている。
最初の使用に先立って、接着剤層９を取り外し可能な保護フィルム１１で覆うのがよく、この保護フィルムは、フィルムを取り外しやすいようにするために塗布部分７を越えて突出した舌部１２を備えるのがよい。一例を挙げると、保護フィルム１１は、シリコーンペーパー又はポリエチレン、或いはポリエステルフィルムから成るのがよい。
器具１を、アプリケータ３が受け器に既に固定された状態で、又は、保護フィルム１１で被覆された状態で市販するのがよい。
【００３２】
アプリケータ３は、使用のためには、鏡３には付着されず、又は、アプリケータが鏡６に固定されず、保護フィルム１１を有している場合、フィルムを取り外す。
次に、アプリケータ３を、例えば人差し指の先端指節骨の指腹に固定すると、ユーザは、図４に示すように物質Ｐを取ることができる。
図示の例では、接着面９は、指の皮膚とその中央領域でのみ接触することが観察できる。かくして、環状隙間１３が、指腹と接着剤層９との間に生じたままになり、かくして、アプリケータ３は物質を皮膚に塗布しながら図５に示すように指に対して多数の軸線回りに回動することができる。このように回動できることは又、図４に示すように、凸状である表面を備えたケークから物質を取っている場合に役立つ。
【００３３】
塗布後、アプリケータ３を指から引き離し、そして受け器２のアプリケータ受取り表面、例えば、鏡６に付着させて戻すのがよい。
アプリケータ３は、正面図では、形状が円形であり、実質的に一定の厚さｅのものであるのがよく、この厚さｅは、例えばアプリケータの半径の半分未満であり、かくして、アプリケータには平らな形状が与えられる。
ケースを閉じると、アプリケータ３は任意的に、物質Ｐに接触することができる。
当然のことながら、アプリケータ３は、これと異なる形状のものであってよく、これは本発明の範囲から逸脱しない。
【００３４】
一例を挙げると、アプリケータ３は、図６に示すように、膨らんだ、例えば、外方に凸になった塗布面８を備えるのがよい。この膨らんだ形状は、例えば、アプリケータの厚さがその周囲のところで、例えばヒートシールを行ないながら塗布部分７の変形、例えば、熱変形により減少した結果として得られる。
例えばアプリケータの対称軸線上に位置する最大厚さｅｍａｘは、アプリケータに外接する（アプリケータを包囲する）円の直径よりも小さいのがよく、例えば、この最大厚さは、外接円の半径の半分未満であるのがよい。
アプリケータは又、図７に示すように、軸方向断面がレンズ形をしているのがよく、厚さは、中心軸線から遠ざかるにつれて減少している。
アプリケータ３は又、図８に示すように中央凹部１５を備えるのがよい。かかる凹部は、例えば、アプリケータを撓みやすくするのに役立つ場合がある。
【００３５】
上述の例では、塗布部分７は、例えば、連続又は独立気泡フォーム（発泡材）、フェルト又は任意他の気泡構造又は繊維構造、或いはその重ね合わせであるのがよく、又、塗布部分７は、多かれ少なかれ多孔質であるのがよい。
図９に示すように、ベルクロ（Ｖｅｌｃｒｏ：登録商標）ファスナを備えたタイプの覆い１５が、塗布部分７を覆い又はこれを構成するのがよい。この図では、覆い１５は、織布の層１６及び層１６の表面から突き出たフック１７を有している。フック１７は、閉鎖ループと協働できる任意の形式のものであってよく、例えば、釣り針形、マッシュルーム形をしているのがよく、或いは、これらフックは、開放ループであってもよい。
【００３６】
塗布部分７は又、図１０に示すようにフィルムから成っていてもよく、或いはこれによって構成されていてもよく、フィルムは場合によっては、比較的厚さの小さなものである。塗布面として役立つフィルムの面をフロック加工部１０で覆うのがよいが、このようにするかどうかは任意である。
アプリケータ３は、正面図で見ると、例えば円形以外の形をしていてもよく、その目的は、物質を顔面の所与の部分、例えば、瞼又は唇上により容易に又はより正確に塗布できるようにすることにある。
【００３７】
図１１〜図１５は、とりわけ考えられる形状の種々の例の正面図である。
アプリケータ３は、図１１に示すように少なくとも１つの突起２０を有するのがよい。アプリケータに外接する円３は、例えば円の中心を通り、図１１の平面に垂直に延びる軸線に平行に測定して、アプリケータの最大厚さの２倍に等しい半径ｒを有している。
図１２に示すように、アプリケータ３は、盾の形をしていて、全体的に三角形であるのがよく、塗布面８を例えば織布２１で覆うのがよい。
図１３は、全体として西洋梨形をしていて、全体として三角形の突起２２を備えたアプリケータを示している。
【００３８】
図１４に示すように、アプリケータ３の塗布面は、互いに異なる表面状態を備えた少なくとも２つの領域８ａ，８ｂを有するのがよく、これら表面状態は、例えば、塗布に用いられる面に施された互いに異なる処理の結果であるのがよく、或いは、これら表面状態は、塗布部分を作る互いに異なる材料又は覆いを用いたことによるものであってもよい。
一例を挙げると、領域８ａ，８ｂは、とりわけ以下の点において、即ち、気孔率、粗さ、表面上に存在する物質、湿潤性、磁性、色において互いに異なるのがよい。
図１５は、アプリケータ３が貫通開口部２３を有するのがよいことを示している。
【００３９】
接着剤層９は、例えばフィルムの形態をしてアプリケータ上に存在するのがよく、このフィルムは、塗布面８から見て反対側の塗布部分７の面全体を覆うのがよい。アプリケータを皮膚に固定するのに用いられる面上では、図１６に示すようにアレイ上に配置されたスポット２４の形態で、又、図１７に示すように例えば付着しないように選択的な方向を持つ一連のストリップ２５の形態で存在してもよく、或いは、接着剤は、図１８に示すように上記面の中央領域２６のみ占めてもよい。
接着剤９は又、図１９に示すように同心リング７０の形態で存在してもよく、これらリングは、図示の例ではこれら周囲のところの厚さにばらつきがある。これにより、アプリケータに付着しないための選択的な方向が与えられる。
接着剤を印刷により被着させてもよい。
また、図２０に示すように接着剤層９を例えば網２７で覆ってもよく、それにより、その接着力を減少させることができる。
【００４０】
塗布部分は、多層構造のものであってもよい。多層構造の種々の例について図２１〜図２４を参照して説明する。
図２１では、塗布部分７は、塗布面を構成するようになったその一方の側部がフロック加工部１０で被覆され、反対側の側部が例えばプラスチックフィルム、例えば、ポリウレタン又はポリエステルフィルムで構成された第２の層２９で被覆された第１の層２８、例えば、ポリウレタンの発泡材を有し、接着剤層９が、これに被着されている。
図２２に示す変形例では、第２の層２９の２つの面をそれぞれ２つの接着剤層９で覆ってもよい。第２の層２９はこの場合、第１の層２８に付着される。
【００４１】
別の例では、図２３に示すように、塗布部分７は、互いに異なる構造の２つの発泡材層３０，３１、例えば、連続気泡の発泡材層及び例えば独立気泡又は薄い気泡を有する一層密度の高い層を有していてもよい。これら２つの層は、互いに異なる可撓性を呈するのがよい。
図２４に示すように、塗布部分７は、フロック加工部を有する必要はなく、例えば、表面が綿毛状表面３２を形成するよう研磨処理が施された連続気泡フォーム（発泡材）から成っていてもよい。
受け器のアプリケータ受取り表面、即ち、アプリケータが使用されていないときに取り付けられる表面は、本発明の範囲から逸脱することなく凹凸を備えてもよく、例えば、この表面は、受け器へのアプリケータの付着力を減少させると共にユーザがアプリケータを容易に引き離してこれを指の先に固定することができるよう図２５に示すように突起３４を備えてもよい。
【００４２】
図２６は、受け器が、図１の実施形態の場合と同様、底部４及び鏡６を備えたヒンジ止め蓋５を有するケースの形態をした変形実施形態を示している。この例では、底部４は、互いに異なる物質を受け入れる複数のハウジング４０，４１，４２を有している。アプリケータ３を受け入れるハウジング４３が、ハウジング４０〜４２の傍で底部４内に設けられている。
図２７に示す変形例では、底部４は、ハウジング４０，４１を有するに過ぎない。図２６の例のハウジング４３に代えて、図２７では、複数のアプリケータ３、例えば図示のような３つのアプリケータを受け入れるのに適した大形のハウジング４５が用いられている。
当然のことながら、本発明によれば、更に別の形状のケースを構成することができる。
【００４３】
図２８は、ハウジング４６が、図示のように非常に変化に富んだ形状及びテキスチャを備える場合のある複数のアプリケータ３を受け入れるために底部４に形成されたケースの一例を示している。ユーザは、例えば形成されるべき領域の関数として特定のアプリケータを選択することができる。
図２９は、アプリケータ３が蓋５に付着させるためのものである場合、これに対応したハウジング４８を底部４に形成するのがよい。受け器に入れられる物質Ｐは、液体であってもよい。
【００４４】
例えば、図３０は、液体Ｐの入った容器５０の形態をした受け器を示している。容器のネックは、例えば、液体を送り出す少なくとも１つのオリフィス５２を含むエンドピース５１を備え、この液体の送り出しは、もし圧縮可能ならば容器５０の壁を握り締めることにより、或いは、容器を逆さまにすることにより行なうことができる。
一例を挙げると、アプリケータ３を使用していないときは、受け器のクロージャカプセル５２に固定するのがよく、場合によっては、着脱自在なキャップ５４によって外部から保護され、このキャップは、透明であるのがよい。
【００４５】
物質Ｐは、粘稠であるのがよく、ピストン６０が図３１に示すように刻み付きホイル６２により駆動されるねじ６１と協働することにより押し出し可能である。
一例を挙げると、使用していない間、アプリケータ３を例えば、ホイル６２にヒンジ止めされた蓋６４の内面により構成された受け器のアプリケータ受取り表面に固定することができる。
本発明の別の特徴では、図３２に示すように、アプリケータ３は、最初の使用に先立って、支持ストリップ６６上に設けられている。ストリップをディスペンサ６７の内部に巻き取るのがよい。
【００４６】
本発明の範囲から逸脱することなく、単一のアプリケータ３を図３３に示すように、２つの隣り合う指の先に取り付けることができ、或いは、互いに異なる表面状態及び（又は）互いに異なる形状の２つのアプリケータを図３４に示すように単一の指の先に付着させてもよく、或いは、互いに異なる形状及び（又は）互いに異なる表面状態の２つのアプリケータを図３５に示すように、２つの指、例えば、２つの連続した指に付着させてもよい。
当然のことながら、本発明は、上述の例には限定されず、その種々の特徴を互いに組み合わせることが可能である。
【００４７】
本明細書全体を通じ、部材個数に関し、「〜を有する又は含む（ｃｏｍｐｒｉｓｅｓ　ａ）」という用語は、特段の指定がなければ、「〜を少なくとも一つ有する又は含む（ｃｏｍｐｒｉｓｅｓ　ａｔ　ｌｅａｓｔ　ｏｆ　）」という表現と同義であると解されるべきである。
【図面の簡単な説明】
【図１】本発明に従って構成された器具の概略斜視図である。
【図２】図１の器具のアプリケータを単独で示す図である。
【図３】接着面が取り外し自在な保護フィルムで覆われた図２のアプリケータを示す図である。
【図４】物質をピックアップしながら指の端に付着されたアプリケータを示す図である。
【図５】メーキャップを施すために用いられている状態のアプリケータを示す図である。
【図６】アプリケータについて考えられる他の形状を示す概略軸方向断面図である。
【図７】アプリケータについて考えられる他の形状を示す概略軸方向断面図である。
【図８】アプリケータについて考えられる他の形状を示す概略軸方向断面図である。
【図９】複数のフックを有する覆いを備えたアプリケータの一例を示す概略軸方向断面図である。
【図１０】フロック加工が施されたアプリケータの一例を示す概略軸方向断面図である。
【図１１】とりわけアプリケータについて考えられる形状の一つを示す正面図である。
【図１２】とりわけアプリケータについて考えられる別の形状を示す正面図である。
【図１３】とりわけアプリケータについて考えられる別の形状を示す正面図である。
【図１４】とりわけアプリケータについて考えられる別の形状を示す正面図である。
【図１５】とりわけアプリケータについて考えられる別の形状を示す正面図である。
【図１６】塗布面から見て反対側のフェース上にどのように接着剤を分布させることができるかについての例を示す図である。
【図１７】塗布面から見て反対側のフェース上にどのように接着剤を分布させることができるかについての例を示す図である。
【図１８】塗布面から見て反対側のフェース上にどのように接着剤を分布させることができるかについての例を示す図である。
【図１９】塗布面から見て反対側のフェース上にどのように接着剤を分布させることができるかについての例を示す図である。
【図２０】接着面上に網が設けられている状態を示す図である。
【図２１】アプリケータについて一多層構造を示す概略軸方向断面図である。
【図２２】アプリケータについて別の多層構造を示す概略軸方向断面図である。
【図２３】アプリケータについて別の多層構造を示す概略軸方向断面図である。
【図２４】アプリケータについて別の多層構造を示す概略軸方向断面図である。
【図２５】アプリケータの物質受取り表面上に形成された起伏部を示す概略断面図である。
【図２６】受け器がケースの形態をした器具の一例を示す図である。
【図２７】ケースの一形態を示す図である。
【図２８】ケースの別形態を示す図である。
【図２９】ケースの別形態を示す図である。
【図３０】物質が液体であり、容器内に入れられた実施形態を示す図である。
【図３１】物質がゲルである別の実施形態を示す図である。
【図３２】支持ストリップ上に設けられたアプリケータを小出しするアプリケータディスペンサを示す略図である。
【図３３】２つの接触状態にある指先上に位置した１つのアプリケータを示す図である。
【図３４】同じ指に固定された２つのアプリケータを示す図である。
【図３５】同じ手の２つの指にそれぞれ固定された２つのアプリケータを示す図である。
【符号の説明】
１　化粧品塗布器具
２　受け器
３　アプリケータ
５　蓋
６　鏡
７　塗布部分
８　塗布面
９　接着剤層
１１　保護フィルム
１３　環状隙間
Ｐ　物質
【図１】
2004033766.tif 000003
【図２】
2004033766.tif 000004
【図３】
2004033766.tif 000005
【図４】
2004033766.tif 000006
【図５】
2004033766.tif 000007
【図６】
2004033766.tif 000008
【図７】
2004033766.tif 000009
【図８】
2004033766.tif 000010
【図９】
2004033766.tif 000011
【図１０】
2004033766.tif 000012
【図１１】
2004033766.tif 000013
【図１２】
2004033766.tif 000014
【図１３】
2004033766.tif 000015
【図１４】
2004033766.tif 000016
【図１５】
2004033766.tif 000017
【図１６】
2004033766.tif 000018
【図１７】
2004033766.tif 000019
【図１８】
2004033766.tif 000020
【図１９】
2004033766.tif 000021
【図２０】
2004033766.tif 000022
【図２１】
2004033766.tif 000023
【図２２】
2004033766.tif 000024
【図２３】
2004033766.tif 000025
【図２４】
2004033766.tif 000026
【図２５】
2004033766.tif 000027
【図２６】
2004033766.tif 000028
【図２７】
2004033766.tif 000029
【図２８】
2004033766.tif 000030
【図２９】
2004033766.tif 000031
【図３０】
2004033766.tif 000032
【図３１】
2004033766.tif 000033
【図３２】
2004033766.tif 000034
【図３３】
2004033766.tif 000035
【図３４】
2004033766.tif 000036
【図３５】
2004033766.tif 000037
【外国語明細書】
2004033766.tif 000038
2004033766.tif 000039
2004033766.tif 000040
2004033766.tif 000041
2004033766.tif 000042
2004033766.tif 000043
2004033766.tif 000044
2004033766.tif 000045
2004033766.tif 000046
2004033766.tif 000047
2004033766.tif 000048
2004033766.tif 000049
2004033766.tif 000050
2004033766.tif 000051
2004033766.tif 000052
2004033766.tif 000053
2004033766.tif 000054
2004033766.tif 000055
2004033766.tif 000056
2004033766.tif 000057
2004033766.tif 000058
2004033766.tif 000059
2004033766.tif 000060
2004033766.tif 000061
2004033766.tif 000062
2004033766.tif 000063
2004033766.tif 000064
2004033766.tif 000065
2004033766.tif 000066
2004033766.tif 000067
2004033766.tif 000068
2004033766.tif 000069
2004033766.tif 000070